(57)【要約】      （修正有）【課題】安定性があり、容易に水平を取ることができるエアメーター水平保持装置を提供する。【解決手段】エアメーターを支持する載置台１と、エアメーターの水平位置を調整する少なくとも３の水平位置調整具２を具備する。載置台１は、エアメーターの底部を支持する台部と、側面を支持する円環部１１と、移動用取っ手１５とを有し、エアメーターを装置に取り付けたまま手動でエアメーターを移動することが可能である。少なくとも３の水平位置調整具２は蝶ボルト２１及びナット２２を有し、載置台１の一部に等間隔に垂設され、各々の蝶ボルト２１を旋回させ載置台１の各部を上下させることにより載置台１に支持されたエアメーターの水平位置を確立させる。【選択図】図３
0003200502.tif 000002
【実用新案登録請求の範囲】
【請求項１】
生コンクリートの空気量を測定するエアメーター使用時の転倒防止及び水平位置保持のための装置であって、
前記エアメーターを支持する載置台と、
前記エアメーターの水平位置を調整する少なくとも３の水平位置調整具と、
を具備することを特徴とするエアメーター水平保持装置。
【請求項２】
前記載置台は少なくとも、
前記エアメーターの底部を支持する台部と、
前記エアメーターの側面を支持する円環部と、
移動用取っ手と、
を有し、前記エアメーターを前記装置に取り付けたまま手動で前記エアメーターを移動することが可能であることを特徴とする請求項１記載のエアメーター水平保持装置。
【請求項３】
前記少なくとも３の水平位置調整具は、
蝶ボルト及びナットを有し、
前記蝶ボルトの下端部が地面に着接する姿勢で前記載置台の一部に等間隔に垂設され、  
前記蝶ボルトを旋回させることにより前記載置台の一部が上下する構造において、
前記蝶ボルトを個々に旋回させ前記載置台の各部を上下させることにより前記載置台に支持された前記エアメーターの水平位置を確立させることを特徴とする請求項１又は２記載のエアメーター水平保持装置。
【考案の詳細な説明】
【技術分野】
【０００１】
本考案は、生コンクリートの空気量を測定するエアメーター使用時の転倒防止及び水平位置保持のための装置に関する。
【背景技術】
【０００２】
通常の工事現場で使用される生コンクリートは、水、セメント、砂（細骨材）及び砂利（粗骨材）に、減水効果等を有しコンクリートの性状を良好にする混和剤（通称、「ＡＥ剤」という）等を添加し練り混ぜたものである。前記ＡＥ剤は、微細な独立気泡をコンクリートに混入することにより流動性を高め作業性を改善するために使用されるが、全体の空気量が増えると、コンクリートの強度が低下する。このため、通常、作業現場では、生コンクリートの試料をとり、これに含まれる空気量の測定を行う。
【０００３】
上述の空気量の測定は、ワシントン型エアメーターと呼ばれる計器（図１）によって行われる。測定の手順は、試料の生コンクリートを円筒形の密閉された容器に３分の１入れ、突き棒で垂直方向に均等に生コンクリートを２５回突き、容器の側面を１０〜１５回木槌などでたたいて突き穴や大きな泡を消去し、さらに、３分の２まで試料を加えて同じ動作を繰り返す。最後に容器上限まで試料を入れたうえで容器のフランジを水平に据えて平坦にならして蓋を閉める。これに上から空気を注入し圧力を加えて、その時の密度差から空気の量を割り出す。この過程で試料の生コンクリートの空気量を正確に測定するためには、該エアメーターを水平状態に保持する必要があるが、現場の状況によっては地面が荒れており、水平を取ることが難しい場合がある。
【０００４】
このため、エアメーター使用時には、図２に示すように「レベラー」と呼ばれる円形の水平調節用架台にエアメーターを載置して水平を取るのが一般的である。
【考案の概要】
【考案が解決しようとする課題】
【０００５】
上述したように、生コンクリート試料に含まれる空気量の測定時、水平を取るためにレベラーが使用されるが、図２に示すように、該レベラーは、円環部の３か所から爪部が中央下方向に傾斜して突出し、この爪部上にエアメーターの底部を載置してバランスを取りながら水平を取る構造になっている。
【０００６】
しかしながら、前記爪部上に載置されたエアメーターは不安定で、少しの衝撃で傾いてしまうことが多く、その場合は正確な測定ができなくなる。また、最悪の場合にはエアメーターがレベラーから落ちて転倒してしまう事態も生じている。この場合、エアメーターは精密機器であるため、検査や修理が必要となる。
【０００７】
上述の事情から、試験者の間には、従来のレベラーに代わって、安定性があり、容易に水平を取ることができるエアメーターの水平保持装置の提供を望む声が高い。本考案は、このようなエアメーター水平保持装置を提供することを課題とする。
【課題を解決するための手段】
【０００８】
上記課題を解決するために、本考案に係るエアメーター水平保持装置は、エアメーターを支持する載置台と、エアメーターの水平位置を調整する少なくとも３の水平位置調整具と、を具備することを特徴とする。
【０００９】
載置台は、エアメーターの底部を支持する台部と、側面を支持する円環部と、
移動用取っ手とを有し、前記エアメーターを前記装置に取り付けたまま手動で前記エアメーターを移動することが可能である。前記少なくとも３の水平位置調整具は蝶ボルト及びナットを有し、載置台の一部に等間隔に垂設され、各々の前記蝶ボルトを旋回させ載置台の各部を上下させることにより載置台に支持された前記エアメーターの水平位置を確立させることを特徴とする。
【考案の効果】
【００１０】
本水平保持装置により、場所を選ばず、容易にエアメーターの水平を取ることができるため、現場での正確な測定が可能となる。
【００１１】
本水平保持装置によりエアメーターを確実に支持することができるため、精密機器であるエアメーターを転倒から守る効果が大きく、安心して測定を行うことができる。
【００１２】
従来レベラーとエアメーターを別々に移動・保管していたところ、本水平保持装置にエアメーターを載置したまま持ち運びすることができるようになるため、エアメーターと本装置を一元的に管理することができる。
【図面の簡単な説明】
【００１３】
【図１】本水平保持装置に載置されるワシントン型エアメーターの斜視図である。
【図２】従来のレベラー（載置台）の斜視図である。
【図３】実施形態１の水平保持装置の斜視図である。
【図４】実施形態１の水平保持装置の平面図である。
【図５】実施形態１の水平保持装置にエアメーターを載置した状態を示す斜視図である。
【図６】実施形態２の水平保持装置にエアメーターを載置した状態を示す斜視図である。
【考案を実施するための形態】
【００１４】
以下、本考案の２つの実施形態について、図面を参照して説明する。
前述したように、本考案に係る水平保持装置は、エアメーターを支持する載置台と、エアメーターの水平位置を調整する水平位置調整具によって構成される。実施形態１と２は、載置台１の形状と水平位置調整具２の設置数が異なる。
【００１５】
（実施形態１）
図３及び４に示すように、実施形態１は水平位置調整具２の設置数を３として、水平をとり易い構造とする一方、後述する実施形態２と比較して、載置台１を簡単な構成とし、作成に係るコストを抑えている。
【００１６】
水平位置調整具２は、蝶ボルト２１、ナット２２、ワッシャー２３及びフット２４によって構成され、載置台１の円環部１１に等間隔に配設された水平位置調整具取付部１４に垂設されている。水平位置の調整に際しては、蝶ボルト２１を手動で旋回させつつ全体のバランスを探ることにより、スパナ等の用具を使用せずに高さ調整を可能としている。また、幅広のフット２４がしっかりと地面をとらえることにより計測時の安定性が確保されている。
【００１７】
載置台１は、円環部１１、台部１２、支柱部１３、水平位置調整具取付部１４及び移動用取っ手１５により構成される。台部１２上に載置されたエアメーターを、円環部１１とこれに連続する３点の支柱部１３が側面を支持し、揺動や衝撃からエアメーターを保護する。また、円環部１１に設置された２つの移動用取っ手１５により、エアメーターを載置したまま本装置を移動することが可能となっている。図５は、本実施形態の水平保持装置にエアメーターを載置した状態を示す。
【００１８】
（実施形態２）
実施形態２の水平保持装置は、測定時及びエアメーター載置状態の移動時の安定性を増強したものである。図６は本実施形態に係る水平保持装置にエアメーター３を載置した状態を示す。本実施形態と上記実施形態１との構成上の差異点は次のとおりである。すなわち、載置台１については支柱を設けずに、円環部１１を上下に２本平行に配置したこと、水平位置調整具２については設置数を３から４に増やしたことである。
【００１９】
以上、本考案の有する多くの特徴、及び優れた点を、考案の構造と機能の詳細をあげて上記実施例に記載したが、本考案は、本考案の原理の範囲内で、細かな点、特に形状、材料、大きさ及び部品の配置を変更しての実施が可能である。特に、載置台の形状とそれに伴うエアメーターの支持方法、水平位置調整具の数及び構成部品等については、上述の２形態以外にも様々な実施が可能であり、これらは本考案の技術的範囲に含まれると解する。
【符号の説明】
【００２０】
１      載置台
１１    円環部
１２    台部
１３    支柱部
１４    水平位置調整具取付部
１５    移動用取っ手
２      水平位置調整具
２１    蝶ボルト
２２    ナット
２３    ワッシャー
２４    フット
３      エアメーター
【図１】
0003200502.tif 000003
【図２】
0003200502.tif 000004
【図３】
0003200502.tif 000005
【図４】
0003200502.tif 000006
【図５】
0003200502.tif 000007
【図６】
0003200502.tif 000008